(57)【特許請求の範囲】
【請求項１】
吹奏者の下唇付近の部分と当接するリップ当接面を有するリップ当接部を備えたリッププレート上部と、
電子管楽器の管部に固定されるベースと、
吹奏時において吹奏者の口がある側に前記リップ当接面を露出させて、前記リッププレート上部を支持し、前記ベースに取り付けられるリッププレート下部と、
前記ベースに固定され、前記リッププレート上部が前記リッププレート下部と前記ベースとにより支持された状態において、前記リッププレート上部と対向し、前記リッププレート上部から受けた圧力を示す信号を出力する感圧素子と
を具備することを特徴とする電子管楽器の下顎動作検出装置。
【請求項２】
前記リッププレート上部は、リップ当接部に固定された回動軸を有し、
前記リッププレート下部は、前記ベースとの間に前記リッププレート上部の回動軸を回動自在に支持して、前記ベースに取り付けられることを特徴とする請求項１に記載の電子管楽器の下顎動作検出装置。
【請求項３】
前記リッププレート上部が前記リッププレート下部と前記ベースとにより支持された状態において、前記リップ当接面と、前記リッププレート下部の表面とが、外側に膨らんだ連続した緩やかな曲面を構成することを特徴とする請求項１に記載の電子管楽器の下顎動作検出装置。
【請求項４】
前記感圧素子として、前記リップ当接面に加わる圧力の第１の方向の成分を前記リッププレート上部を介して検出する第１の感圧素子と、前記第１の方向と直交する第２の方向の成分を前記リッププレート上部を介して検出する第２の感圧素子とを前記ベース部または前記リッププレート下部に設けたことを特徴とする請求項１に記載の電子管楽器の下顎動作検出装置。
【発明の詳細な説明】
【技術分野】
【０００１】
この発明は、電子フルート等の電子管楽器に係り、特に吹奏者がオクターブ切り換えを目的として行う下顎の動きを検出する下顎動作検出装置に関する。
【背景技術】
【０００２】
周知のように、電子管楽器は、自然管楽器を模した呼気吹入口と演奏用キーの両操作子を備え、呼気吹入口から呼気が吹入されると、演奏用キーの押下の組み合わせである運指に応じてピッチを特定し、そのピッチで呼気吹入口の呼気圧に応じた音量の吹奏音を合成して放音するようになっている。ここで、「共振モード変更」と呼ばれる自然管楽器に特有の奏法を検出し、その奏法に従った吹奏音を電子的に再現できるような電子管楽器の実現が従来より試みられてきた。「共振モード変更」は、フルートのようなオクターブを切替えるための演奏用キーを備えない楽器において、運指を固定したまま吹奏音のオクターブ等をコントロールする奏法を意味し、「オーバーブロー」、「オクターブ切替え」、「リップスラー」などともいう。特許文献１には、共振モード変更を精緻に検出し得る電子管楽器の開示がある。この文献に開示された電子管楽器は、呼気吹入口内に離散的に設置した複数の呼気圧検出センサを通じて呼気の吹入の向きを検出する。そして、検出した向きに応じて現在の共振モードを特定した後、その共振モードに従ったピッチの楽音信号の出力を音源へ指示するようになっている。
【特許文献１】特開平０７−１９９９１９号公報
【発明の開示】
【発明が解決しようとする課題】
【０００３】
ところで、自然管楽器であるフルート等の吹奏者の中には、オクターブ切り換えを行うときに下顎を微妙に動かす吹奏者が多い。従って、特許文献１に開示されているように呼気の吹入の向きを検出して共振モードの切り換えの制御を行うよりは、むしろ下顎の微妙な動きを検出してオクターブ切り換えを行うのが吹奏者の意思に沿うと考えられる。そこで、電子管楽器の呼気吹入口付近に吹奏者の下唇付近の部分と当接する可動式のリッププレートを設けると共にこのリッププレートを介して与えられる圧力に応じた信号を出力する感圧素子を設け、感圧素子の出力信号に基づいて、吹奏者の下顎の動きを検出し、オクターブ切り換えの制御に用いる構成が有効であると考えられる。しかし、このような構成によりオクターブ切り換えの制御を行うのには困難が伴う。まず、リッププレートおよび感圧素子からなる圧力／電気信号変換装置の効率は、吹奏者の下唇付近の部分と当接するリッププレートの幅に大きく依存する。このリッププレートの幅が十分でないと、吹奏者の下顎の動きを判断するのに十分なレベルの出力信号が感圧素子から得られない。一方、リッププレートの幅が過剰であると、吹奏者の下唇付近の部分がリッププレートに接触しているだけで大きなレベルの信号が感圧素子から出力されるため、例えば感圧素子の出力信号と閾値との比較によりオクターブ切り換えの指令を発生するようなオクターブ切り換え制御を行うと、常にオクターブ切り換えの指令が発生されることとなる。また、吹奏時の下顎の動かし方には個人差がある。従って、ある吹奏者にとって適切なレベルの信号が感圧素子から得られるようにリッププレートの幅を適正化したとしても、吹奏者が変わると、そのリッププレートの幅では適切なレベルの信号が感圧素子から得られないという不都合も生じ得る。
【０００４】
この発明は、以上説明した事情に鑑みてなされたものであり、電子管楽器の吹奏時にオクターブ切り換えの意思表示である下顎の動きを示す信号を取得することができ、かつ、下顎からの圧力を受けるリッププレートを任意かつ容易に取り換えることが可能な電子管楽器の下顎動作検出装置を提供することを目的とする。
【課題を解決するための手段】
【０００５】
この発明は、吹奏者の下唇付近の部分と当接するリップ当接面を有するリップ当接部を備えたリッププレート上部と、電子管楽器の管部に固定されるベースと、吹奏時において吹奏者の口がある側に前記リップ当接面を露出させて、前記軸受けベースとともに前記リッププレート上部を支持し、前記軸受けベースに取り付けられるリッププレート下部と、前記軸受けベースに固定され、前記リッププレート上部が前記リッププレート下部と前記軸受けベースとにより支持された状態において、前記リッププレート上部と対向し、前記リッププレート上部から受けた圧力を示す信号を出力する感圧素子とを具備することを特徴とする電子管楽器の下顎動作検出装置を提供する。
かかる発明によれば、吹奏者の下唇付近の部分からの圧力がリップ当接面を介して感圧素子に加えられるので、このリップ当接面の幅を適切なものにすることにより、吹奏者の下顎の動きを判断するのに十分なレベルの信号を感圧素子から出力させることができる。また、このリップ当接面を有するリッププレート上部は、取り付けおよび取り外しが自在であるので、吹奏者に合わせて、適切な幅のリップ当接面を持ったリッププレート上部を選択し、下顎動作検出装置を構成することができる。
【発明を実施するための最良の形態】
【０００６】
以下、図面を参照し、この発明の実施の形態を説明する。
図１は、この発明の一実施形態である下顎動作検出装置１５０を備えた吹奏ユニット１００の構成を示す斜視図である。また、図２は図１に示す下顎動作検出装置１５０のＩ−Ｉ’線における断面構造を示す図である。なお、図２には、下顎動作検出装置１５０の理解を容易にするため、演奏者の下顎付近の部分が吹奏ユニット１００とともに図示されている。また、図２には、吹奏検出装置１１０も図示されているが、図面が煩雑になるのを防ぐため、吹奏検出装置１１０については透視図が示されている。図１に示すように、電子フルートの頭管部１には、その管軸方向に所定間隔を空けて２枚のフランジ２Ａおよび２Ｂが固定されている。吹奏ユニット１００は、回動軸１０１を有しており、この回動軸１０１は、頭管部１の管軸と平行な向きで、このフランジ２Ａおよび２Ｂの各々に設けられた軸受け２１（図１ではフランジ２Ａの軸受け２１のみが図示されている）に軸支されている。このような構成としたため、本実施形態における吹奏ユニット１００は、ある程度の力を加えることにより回動軸１０１廻りに回動させることが可能である。
【０００７】
吹奏ユニット１００は、大別して、吹奏検出装置１１０と、下顎動作検出装置１５０と、これらの吹奏検出装置１１０および下顎動作検出装置１５０を頭管部１の管軸方向両側から挟んで固定する側板部１９０Ａおよび１９０Ｂとにより構成されている。上述した回動軸１０１は、側板部１９０Ａおよび１９０Ｂに固定されている。
【０００８】
吹奏検出装置１１０の上部には、吹奏者の上唇までの距離を測定する上唇近接センサ１１１が設けられている。この上唇近接センサ１１１は、例えば赤外線リフレクタ等により構成されている。また、吹奏検出装置１１０において、吹奏者の口と対向する前面部分には、コーン状のジェットコレクタ１１２が設けられている（図２参照）。このジェットコレクタ１１２は、吹奏者の口から吹き込まれる呼気を集め、吹奏検出装置１１０の内部に設けられたジェット流量センサ１１３へと導く役割を果たす。このジェット流量センサ１１３は圧力センサである。
【０００９】
図２に示すように、下顎動作検出装置１５０は、軸受けベース１６０と、リッププレート上部１７０と、リッププレート下部１８０とを有する。ここで、軸受けベース１６０は、その管軸方向両側において側板部１９０Ａおよび１９０Ｂ（図１参照）に固定されている。軸受けベース１６０からは、吹奏時に斜め上方にある吹奏者の口と対面する姿勢で支持板１６１が突き出しており、この支持板１６１の表面にはシート状の感圧抵抗１６２が固定されている。
【００１０】
本実施形態における下顎動作検出装置１５０は、リッププレート上部１７０およびリッププレート下部１８０の取り付けおよび取り外しが可能な構成となっている。図１および図２には、リッププレート上部１７０およびリッププレート下部１８０が取り付けられた状態の下顎動作検出装置１５０が図示されている。
【００１１】
リッププレート上部１７０は、吹奏時において吹奏者の口がある方向に出っ張っており、吹奏者の下唇付近の部分と当接するリップ当接面１７１Ｓを有するリップ当接部１７１と、このリップ当接部１７１から突き出した板部１７２と、この板部１７２の端部に形成された円柱状の回動軸１７３とからなる。リッププレート上部１７０において、リップ当接面１７１Ｓとは反対方向を向いた面は、感圧抵抗１６２と対向しており、この面には感圧抵抗１６２の表面と当接する押圧部１７４が設けられている。この押圧部１７４は、例えばゴム等のような弾性材料により構成されている。
【００１２】
リッププレート下部１８０は、表面が緩やかに外側に膨らむように湾曲した部材であり、その裏面には、リッププレート上部１７０の回動軸１７３を収容する凹部１８１が形成されている。上述した軸受けベース１６０にも、回動軸１７３を収容する凹部１６３が形成されている。
【００１３】
図３はリッププレート上部１７０およびリッププレート下部１８０の下顎動作検出装置１５０への取り付け手順を示す組立図である。図３に示すように、リッププレート下部１８０は、その下端付近が幅の狭い接続部１８２となっており、この接続部１８２には、雄ネジを挿通させるための２個の孔１８３Ａおよび１８３Ｂが貫通している。また、軸受けベース１６０には、このリッププレート下部１８０の接続部１８２を受け入れる切り欠き部１６４が形成されており、この切り欠き部１６４には、接続部１８２の孔１８３Ａおよび１８３Ｂと対応させて、雌ネジ孔１６５Ａおよび１６５Ｂが形成されている。そして、リッププレート上部１７０およびリッププレート下部１８０を下顎動作検出装置１５０への取り付ける場合には、まず、リッププレート上部１７０の回動軸１７３がリッププレート下部１８０の凹部１８１に収容され、この状態で、リッププレート下部１８０の接続部１８２が軸受けベース１６０の切り欠き部１６４に挿入される。そして、接続部１８２に空いた孔１８３Ａおよび１８３Ｂに雄ネジを各々挿入し（図示略）、切り欠き部１６４の雌ネジ孔１６５Ａおよび１６５Ｂに螺着させることにより、リッププレート下部１８０が軸受けベース１６０に固定される。
【００１４】
このようにして、下顎動作検出装置１５０は、図１および図２に示す状態となる。これらの図に示すように、リッププレート下部１８０は、リッププレート上部１７０におけるリップ当接面１７１Ｓを吹奏時に吹奏者の口のある側に露出させ、かつ、リッププレート上部１７０におけるリップ当接面１７１Ｓ以外の部分を覆うように軸受けベース１６０に取り付けられている。また、その際に、リッププレート下部１８０の凹部１８１は、軸受けベース１６０の凹部１６３とともに軸受け用の孔を形成しており、この軸受け用の孔は、リッププレート上部１７０の回動軸１７３を回動自在に支持する。
【００１５】
図４は本実施形態における下顎動作検出装置１５０の動作を示す図である。この図４に示すように、吹奏者は、オクターブ切り換えを行おうとするとき、下顎を前後方向に微妙に動かす。ここで、吹奏者が下顎を前方に移動させると、リッププレート上部１７０が吹奏者の下唇付近の部分から圧力により、反時計廻りに回動し、押圧部１７４により支持板１６１上の感圧抵抗１６２を押す。この結果、リッププレート上部１７０が吹奏者の下唇付近の部分から受ける圧力が、押圧部１７４を介して感圧抵抗１６２に伝わり、感圧抵抗１６２の抵抗値を変化させる。この場合において、吹奏者の下顎の動きに対する感圧抵抗１６２の抵抗値の変化の感度は、リッププレート上部１７０において吹奏者の下唇付近の部分と接触するリップ当接面１７１Ｓの幅に依存する。
【００１６】
図５は本実施形態による下顎動作検出装置１５０を備えた電子フルートの電気的構成を示すブロック図である。図５において、複数の演奏用キーセンサ２０１は、電子フルートの主管部および足管部に設けられた演奏用キー（図示略）の状態を各々検出するセンサである。これらの演奏用キーセンサ２０１により、演奏用キーの各々がＯＮ状態（演奏用キーが押下されており、主管部または足管部のトーンホールを塞いだ状態）であるかＯＦＦ状態（演奏用キーが押下されておらず、トーンホールが開いた状態）であるかを示す運指パターンが発生され、制御部２１０に供給される。
【００１７】
リップ圧センサ１６２Ｓは、図２における感圧抵抗１６２の抵抗値に比例した電圧値のアナログ信号を出力するセンサである。ジェット流量センサ１１３および上唇近接センサ１１１については、図１および図２を参照して説明した通りである。
【００１８】
Ａ／Ｄ変換器２０２、２０３および２０４は、リップ圧センサ１６２Ｓ、ジェット流量センサ１１３および上唇近接センサ１１１から出力される各アナログ信号のＡ／Ｄ変換を行い、デジタル形式のリップ圧信号、呼気流量信号および対上唇間距離信号を制御部２１０に出力する。
【００１９】
制御部２１０は、後段のＭＩＤＩ音源２２０等、この電子フルートの各部の制御を行う装置であり、例えばＣＰＵと、ＣＰＵによってワークエリアとして使用されるＲＡＭと、ＣＰＵにより実行される各種のプログラムやＣＰＵによって参照される各種のテーブルを記憶したＲＯＭにより構成されている（いずれも図示略）。図５には、制御部２１０のＣＰＵがＲＯＭ内のプログラムに従って実行する各種の処理が図示されている。
【００２０】
制御部２１０により実行される処理は、ノートナンバ、エクスプレッション値、ブレスコントロール値等、ＭＩＤＩ音源２２０を制御するＭＩＤＩメッセージの構成要素となるパラメータを生成する処理を含む。以下、これらの各処理について説明する。
【００２１】
ノートナンバ発生処理２１１では、複数の演奏用キーセンサ２０１から与えられる運指パターンに基づき、ＭＩＤＩ音源２２０に形成させる楽音信号のノートナンバを演算する。また、ノートナンバ発生処理２１１では、Ａ／Ｄ変換器２０２から出力されるリップ圧信号を閾値と比較し、リップ圧信号が閾値を越えた場合に吹奏者が下顎を動かしてオクターブ切り換えの指示を行ったとみなし、運指パターンに基づいて決定されるノートナンバを１オクターブ高いノートナンバに切り換える。
【００２２】
音量制御パラメータ発生処理２１２は、Ａ／Ｄ変換器２０２から与えられるリップ圧信号およびＡ／Ｄ変換器２０３から与えられる呼気流量信号に基づき、音量制御パラメータであるエクスプレッション値またはブレスコントロール値を決定する処理である。ベロシティ発生処理２１３は、Ａ／Ｄ変換器２０３から与えられる呼気流量信号に基づき、楽音の立ち上がり時の強さを指示するベロシティを決定する処理である。
【００２３】
ピッチベンド制御処理２１４は、運指パターン、Ａ／Ｄ変換器２０３から与えられる呼気流量信号、Ａ／Ｄ変換器２０４から与えられる対上唇間距離信号に基づき、ピッチベンド値ＰＢを決定する処理である。
【００２４】
ＭＩＤＩメッセージ組立処理２１５は、以上説明した各処理により発生されるパラメータを用いてＭＩＤＩメッセージを組み立て、ＭＩＤＩ音源２２０に送信する処理である。さらに詳述すると、ＭＩＤＩメッセージ組立処理２１５は、Ａ／Ｄ変換器２０３から出力される呼気流量信号の値が閾値を越え、ノートオンの条件が満たされると、その時点においてノートナンバ発生処理２１１から与えられるノートナンバと、ベロシティ発生処理２１３から与えられるベロシティ値とを用いて、ノートオンメッセージを組み立て、ＭＩＤＩ音源２２０に送信する。
【００２５】
ノートオンは、呼気流量信号の値が閾値よりも高く、運指パターンが同一パターンを維持する期間持続する。このノートオン期間中、ＭＩＤＩメッセージ組立処理２１５では、音量制御パラメータ発生処理２１２から与えられるエクスプレッション値またはブレスコントロール値を用いて、コントロールチェンジメッセージを組み立ててＭＩＤＩ音源２２０に送信し、ピッチベンド制御処理２１４から与えられるピッチベンド値ＰＢを用いて、ピッチベンドメッセージを組み立てＭＩＤＩ音源２２０に送信する。ここで、吹奏者が下顎を微妙に動かしてオクターブ切り換えの指示を行った場合、ノートナンバ発生処理２１１では、リップ圧信号に基づいてこのオクターブ切り換えの指示が検知され、この指示に従ってノートナンバの切り換えが行われる。この場合には、ＭＩＤＩメッセージ組立処理１２５では、切り換え後の新たなノートナンバへの変更を指示するＭＩＤＩメッセージを組み立ててＭＩＤＩ音源２２０に送る。そして、呼気流量信号の値が閾値を下回り、あるいは運指パターンが変化した場合、ＭＩＤＩメッセージ組立処理２１５は、ノートオン中である楽音信号を終了させるノートオフメッセージをＭＩＤＩ音源２２０に送るのである。
【００２６】
ＭＩＤＩ音源２２０は、以上のようにして制御部２１０から送信されるＭＩＤＩメッセージに従い、デジタル形式の楽音信号を形成する装置である。サウンドシステム２３０は、ＭＩＤＩ音源２２０から出力される楽音信号をアナログ楽音信号に変換するＤ／Ａ変換器と、このアナログ楽音信号を増幅するアンプと、このアンプにより駆動されるスピーカにより構成されている（図示略）。
【００２７】
以上が本実施形態による電子フルートの詳細である。本実施形態によれば、図４を参照して説明したように、吹奏者は下顎を前後方向に動かして、リッププレート上部１７０を回動させ、リッププレート上部１７０を介して感圧抵抗１６２に与える圧力を変化させ、感圧抵抗１６２の抵抗値を変化させることができる。そして、制御部２１０は、感圧抵抗１６２の抵抗値を反映したリップ圧信号をＡ／Ｄ変換器２０２から取得し、このリップ圧信号が閾値を越えている場合には、吹奏者がオクターブ切り換えを指示したとみなし、運指パターンにより決定されるノートナンバを１オクターブ高いノートナンバに切り換え、そのノートナンバでの放音をＭＩＤＩ音源２２０に指示する。従って、吹奏者は、下顎を動かしてリッププレート上部１７０に与える圧力を変化させることによりオクターブ切り換えを電子フルートに行わせることができる。
【００２８】
本実施形態では、リッププレート上部１７０を各種の幅のリップ当接面１７１Ｓを持ったものに取り換えることが容易である。図６（ａ）および（ｂ）は、リップ当接面１７１Ｓの幅ＷがＷ１であるリッププレート上部１７０がリッププレート下部１８０により固定された下顎動作検出装置１５０を示す斜視図および断面図である。また、図７（ａ）および（ｂ）は、リップ当接面１７１Ｓの幅ＷがＷ１より大きいＷ２であるリッププレート上部１７０がリッププレート下部１８０により固定された下顎動作検出装置１５０を示す斜視図および断面図である。オクターブ切り換えを行おうとするときの下顎の動きが小さい吹奏者の場合、図７（ａ）および（ｂ）に示すように、幅Ｗの大きなリッププレート上部１７０を下顎動作検出装置１５０に取り付けるのが好ましい。逆に、オクターブ切り換えを行おうとするときの下顎の動きが大きい吹奏者の場合、図６（ａ）および（ｂ）に示すように、幅Ｗの小さなリッププレート上部１７０を下顎動作検出装置１５０に取り付けるのが好ましい。本実施形態では、このような吹奏者の吹奏スタイルに合った適切なリッププレート上部１７０を下顎動作検出装置１５０に容易に取り付けることができる。
【００２９】
以上、この発明の一実施形態について説明したが、この発明にはこれ以外にも他の実施形態が考えられる。例えば次の通りである。
【００３０】
（１）上記実施形態では、支持板１６１に支持された感圧抵抗１６２が吹奏者の口がある斜め上方を向いており、リッププレート上部１７０が吹奏者の下唇付近の部分に押されて斜め下方の感圧抵抗１６２に向けて接近するように構成した。従って、上記実施形態では、吹奏者の下顎の水平方向の動き、下方向への動きおよび斜め下方向への動きに、感圧抵抗１６２を反応させることが可能である。しかし、感圧抵抗１６２を如何なる方向の下顎の動きに強く反応させるかは、感圧抵抗１６２およびリッププレート上部１７０の姿勢を変えることにより変更可能である。例えば図８に示す構成例では、感圧抵抗１６２は垂直方向に起立した姿勢で支持板１６１に支持されており、リッププレート上部１７０において感圧抵抗１６２と対向する面も垂直方向を向いている。そして、この構成では、リッププレート上部１７０は水平方向に移動して感圧抵抗１６２に接近する。従って、この構成では、下顎の水平方向の動きに対して感圧抵抗１６２を強く反応させることが可能である。また。図９に示す構成例では、支持板１６１に支持された感圧抵抗１６２が斜め下方を向いており、リッププレート上部１７０は斜め上方に移動して、感圧抵抗１６２に接近するように構成した。従って、この構成では、吹奏者の下顎の水平方向の動き、上方向への動きおよび斜め上方向への動きに、感圧抵抗１６２を反応させることが可能である。
【００３１】
（２）上記実施形態では、リッププレート上部１７０において吹奏者の下唇付近の部分と接触する部分の表面形状は、外側に膨らんだ緩やかな曲面形状とした。しかし、緩やかな曲面に局所的に出っ張った部分を設けてもよい。あるいは、リッププレート上部１７０において吹奏者の下唇付近の部分と接触する部分の表面形状を曲面とせず、平面にしてもよい。
【００３２】
（３）上記実施形態では、リッププレート下部１８０および軸受けベース１６０の両方にリッププレート上部１７１の回動軸１７３を収容する凹部を設けたが、いずれか一方のみに凹部を設けてもよい。
【００３３】
（４）上記実施形態では、リッププレート上部１７０に回動軸１７３を設け、リッププレート下部１８０と軸受けベース１６０とがこの回動軸１７３を挟んで回動自在に支持した。しかし、リッププレート上部１７０を支持するための構成は、これに限定されるものではなく、例えば図１０（ａ）および（ｂ）に示す態様も考えられる。ここで、図１０（ａ）は、軸受けベース１６０、感圧抵抗１６２、リッププレート上部１７０およびリッププレート下部１８０からなる下顎動作検出装置１５０の断面図、図１０（ｂ）は図１０（ａ）のリッププレート上部１７０およびリッププレート下部１８０を感圧抵抗１６２側から見た図である。図示のように、この態様では、リッププレート上部１７０にレール１７６が設けられ、リッププレート下部１８０にはレール１７６を案内するガイド溝１８６が設けられている。そして、リッププレート上部１７０は、レール１７６をリッププレート下部１８０のガイド溝１８６に収容させ、リップ当接面１７１Ｓと反対側の面の押圧部１７４を感圧抵抗１６２に当接させた状態で、リッププレート下部１８０に摺動自在に支持されている。この態様においても、吹奏者の下顎の動きに応じて、リッププレート上部１７０が感圧抵抗１６２側に摺動するので、下顎の動きに応じた信号を感圧抵抗１６２から得ることができる。また、リッププレート上部１７０の取り替えも容易である。
【００３４】
（５）上記実施形態において、制御部２１０のノートナンバ発生処理２１１では、リップ圧信号を１種類の閾値と比較したが、大きさの異なった複数の閾値と比較し、比較結果に基づき、放音する楽音のノートナンバを運指パターンにより決定されるノードナンバから何オクターブだけシフトするかを決定するようにしてもよい。すなわち、例えば２種類の閾値ｔｈ０、ｔｈ１（＞ｔｈ０）を用意し、リップ圧信号の値ＰｌｉｐがＰｌｉｐ≦ｔｈ０の範囲内であるときはオクターブ切り換えを行わず、ｔｈ０＜Ｐｌｉｐ≦ｔｈ１の範囲内であるときは１オクターブだけノートナンバをシフトし、ｔｈ１＜Ｐｌｉｐの範囲内であるときは２オクターブだけノートナンバをシフトする、といった制御の態様が考えられる。
【００３５】
（６）上記実施形態では、リップ当接面１７１Ｓに与えられる圧力を１箇所に設けた１個の感圧抵抗１６２により検出したが、この感圧抵抗１６２の他にさらに１個の感圧抵抗（例えば感圧抵抗１６２ａとする）を感圧抵抗１６２とは別の位置に別の方向を向かせて配置し、リップ当接面１７１Ｓに与えられる圧力の第１の方向の成分を感圧抵抗１６２により検出するとともに、第１の方向と直交する第２の方向の成分を感圧抵抗１６２ａにより検出するようにしてもよい。図１１（ａ）〜（ｃ）は前掲図４の下顎動作検出装置１５０に感圧抵抗１６２ａを追加した構成例を各々示すものである。なお、これらの態様では、感圧抵抗１６２ａはリッププレート下部１８０に設けてあるが、軸受けベース１６０に設けてもよい。
【００３６】
図１１（ａ）に示す例では、リッププレート上部１７０の回動軸１７３が雨樋状の軸受け１８７に収容されている。この軸受け１８７は、回動軸１７３とは反対側の方向に突出した板部１８７ａを有している。リッププレート下部１８０には、感圧抵抗１６２ａが埋め込まれており、さらにこの感圧抵抗１６２ａを板部１８７ａの端部に当接させて、板部１８７ａを収容する溝が設けられている。この態様によれば、演奏者の下唇付近の部分によりリップ当接面１７１Ｓが押され、リッププレート上部１７０が回動軸１７３廻りに円軌道を描いて移動するとき、その円の接線方向の成分が第１の感圧素子である感圧抵抗１６２により検出される。一方、円の中心に向かう方向の成分が第２の感圧素子である感圧抵抗１６２ａにより検出される。
【００３７】
図１１（ｂ）に示す例では、リッププレート上部１７０の下端部と板部１８８の上端部とが共通の回動軸１７７により連結されている。ここで、リッププレート上部１７０および板部１８８は、いずれも回動軸１７７廻りに回動可能であり、回動軸１７７は、リッププレート上部１７０と板部１８８との関節の役割を果たす。図１１（ａ）の構成と同様、リッププレート下部１８０には、感圧抵抗１６２ａが埋め込まれており、さらにこの感圧抵抗１６２ａを板部１８８の端部に当接させて、板部１８８を収容する溝が設けられている。この態様においても、図１１（ａ）のものと同様な効果が得られる。
【００３８】
図１１（ｃ）に示す例では、リッププレート下部１８０において、リッププレート上部１７０の下端部と対面する領域に溝が設けられ、この溝の底に感圧抵抗１６２ａが固定されている。そして、この感圧抵抗１６２ａにリッププレート上部１７０の下端部が当接している。このリッププレート上部１７０の下端部に回動軸１７３はない。その代わりに、リッププレート上部１７０の下端部は、角が丸められており、当接した状態において感圧抵抗１６２ａとの間に適度な摩擦力が発生するように表面が加工されている。リッププレート上部１７０における板部１７２のリッププレート下部１８０との対向面には、突起部１７８がある。一方、リッププレート下部１８０には、この突起部１７８を収容する溝１８９が設けられている。ここで、リップレート上部１７０に設けられた突起部１７８とリッププレート下部１８０に設けられた溝１８９は、リッププレート下部１８０と軸受けベース１６０との間のリッププレート上部１７０が図中左斜め上方に脱落するのを防止する役割を果たす。なお、図１１（ａ）および（ｂ）の構成にも同様な脱落防止機構を設けてもよい。この図１１（ｃ）の態様においても、図１１（ａ）のものと同様な効果が得られる。
【００３９】
図１１（ａ）〜（ｃ）に示す各態様では、感圧抵抗１６２および１６２ａを各々介すことにより２種類のリップ圧信号が得られる。この２種類のリップ圧信号の演奏制御への利用に関しては各種の態様が考えられる。ある好ましい態様において、制御部２１０（図１参照）では、例えば２種類のリップ圧信号を予め用意された関数に代入し、その関数値を例えば２値化することによりオクターブ切り換えを指示を発生する。他の好ましい態様では、２種類のリップ圧信号のうちの一方（例えば感圧抵抗１６２から得られるもの）を２値化してオクターブ切り換えの指示を発生し、他方（例えば感圧抵抗１６２ａから得られるもの）を音色制御に用いる。さらに他の好ましい態様では、２種類のリップ圧信号を予め用意された第１の関数に代入し、その関数値を例えば２値化することによりオクターブ切り換えを指示を発生し、２種類のリップ圧信号を第１の関数とは別の第２の関数に代入し、その関数値を音色制御に用いる。なお、以上述べた各態様において、オクターブ切り換えの指示の発生や音色制御に用いる関数を複数種類用意しておき、演奏者が所望の関数を選択することができるように構成してもよい。
【００４０】
（７）前掲図９の下顎動作検出装置１５０に第２の感圧素子である感圧抵抗１６２ａを追加してもよい。図１２（ａ）〜（ｃ）は、前掲図９の構成に対し、前掲図１１（ａ）〜（ｃ）の構成に倣って感圧抵抗１６２ａを追加した下顎動作検出装置１５０を示すものであるる。なお、図１２（ａ）〜（ｃ）において、前掲図１１（ａ）〜（ｃ）または前掲図９に示された部分と対応する部分には、前掲図１１（ａ）〜（ｃ）または前掲図９において使用されたものと同じ符号が使用されている。
【００４１】
前掲図１１（ａ）〜（ｃ）の構成例では、感圧抵抗１６２ａがリッププレート下部１８０に埋め込まれていた。これに対し、図１２（ａ）〜（ｃ）に示す構成例において、感圧抵抗１６２ａは軸受けベース１６０に埋め込まれている。また、図１２（ａ）〜（ｃ）に示す構成例では、リッププレート上部１７０の脱落防止のための機構として、前掲図１１（ｃ）と同様、突起部１７８がリッププレート上部１７０に設けられ、溝１８９がリッププレート下部１８０に設けられている。
【００４２】
図１２（ａ）に示す下顎動作検出装置１５０では、前掲図１１（ａ）と同様な雨樋状の軸受け１８７の板部１８７ａが軸受けベース１６０に設けられた溝に収容され、この板部１８７ａの端部が感圧抵抗１６２ａに当接している。図１２（ａ）に示す下顎検出装置を組み立てるためには、リッププレート上部１７０の突起部１７８をリッププレート下部１８０の溝１８９に収容するとともに、リッププレート上部１７０の回動軸１７３を軸受けベース１６０側の軸受け１８７に載せ、リッププレート下部１８０を軸受けベース１６０にネジなどで固定すればよい。
【００４３】
図１２（ｂ）に示す下顎動作検出装置１５０では、前掲図１１（ｂ）と同様、関節としての回動軸１７７を介して、リッププレート上部１７０と板部１８８が連結されており、板部１８８の端部が軸受けベース１６０に設けられた溝に収容され、感圧抵抗１６２ａに当接している。図１２（ｂ）に示す下顎検出装置を組み立てるためには、リッププレート上部１７０の突起部１７８をリッププレート下部１８０の溝１８９に収容するとともに、リッププレート上部１７０に連結された板部１８８の端部を軸受けベース１６０側の溝に収容し、リッププレート下部１８０を軸受けベース１６０にネジなどで固定すればよい。
【００４４】
図１２（ｃ）に示す下顎動作検出装置１５０では、前掲図１１（ｃ）と同様、丸め処理および摩擦力を発生するための表面処理が施されたリッププレート上部１７０の下端部が、軸受けベース１６０に固定された感圧抵抗１６２ａと当接している。図１２（ｃ）に示す下顎検出装置１５０を組み立てるためには、リッププレート上部１７０の突起部１７８をリッププレート下部１８０の溝１８９に収容するとともに、リッププレート上部１７０の下端部を軸受けベース１６０側の感圧抵抗１６２ａに当接させ、リッププレート下部１８０を軸受けベース１６０にネジなどで固定すればよい。
【００４５】
以上説明した図１２（ａ）〜（ｃ）の構成では、リップ当接面１７１Ｓへの圧力のうちリッププレート上部１７０の回動軸１７３、１７７または下端部廻りの旋回方向の成分が感圧抵抗１６２により検出され、この感圧抵抗１６２により検出される成分と直交する方向の成分が感圧抵抗１６２ａにより検出される。
【００４６】
（８）相互に回動し得るように連結され、一体化されたリッププレート上部１７０およびリッププレート下部１８０からなるリッププレートであって、リップ当接面１７１Ｓの幅Ｗや表面形状が異なったものを各種用意しており、吹奏者が所望のリッププレートを選択し、頭管部１に固定されたベース（上記実施形態における軸受けベース１６０に相当するもの）に取り付けるようにしてもよい。
【図面の簡単な説明】
【００４７】
【図１】この発明の一実施形態である下顎動作検出装置１５０を備えた電子フルートの吹奏ユニット１００の構成を示す斜視図である。
【図２】同吹奏ユニット１００を側方から見た図であって、同下顎動作検出装置１５０の図１におけるＩ−Ｉ’線断面構造を示す図である。
【図３】同実施形態におけるリッププレート上部１７０およびリッププレート下部１８０の下顎動作検出装置１５０への取り付け手順を示す組立図である。
【図４】同実施形態における下顎動作検出装置１５０の動作を示す図である。
【図５】同電子フルートの電気的構成を示すブロック図である。
【図６】同実施形態において、リップ当接面１７１Ｓの幅ＷがＷ１であるリッププレート上部１７０がリッププレート下部１８０により固定された下顎動作検出装置１５０を示す斜視図および断面図である。
【図７】同実施形態において、リップ当接面１７１Ｓの幅ＷがＷ１より大きいＷ２であるリッププレート上部１７０がリッププレート下部１８０により固定された下顎動作検出装置１５０を示す斜視図および断面図である。
【図８】下顎動作検出装置１５０の他の構成例を示す断面図である。
【図９】下顎動作検出装置１５０の他の構成例を示す断面図である。
【図１０】下顎動作検出装置１５０の他の構成例を示す断面図である。
【図１１】下顎動作検出装置１５０の他の構成例を示す断面図である。
【図１２】下顎動作検出装置１５０の他の構成例を示す断面図である。
【符号の説明】
【００４８】
１……頭管、１００……吹奏ユニット、１５０……下顎動作検出装置、１６０，１８７……軸受けベース、１６１……支持板、１６２，１６２ａ……感圧抵抗、１６３……凹部、１７０……リッププレート上部、１７１……リップ当接部、１７１Ｓ……リップ当接面、１７２，１８７ａ，１８８……板部、１７３，１７７……回動軸、１７４……押圧部、１７６……レール、１８０……リッププレート下部、１８１……凹部、１８６……ガイド溝、１７８……壁、１８９……溝。
【図１】
0004957399.tif 000002
【図２】
0004957399.tif 000003
【図３】
0004957399.tif 000004
【図４】
0004957399.tif 000005
【図５】
0004957399.tif 000006
【図６】
0004957399.tif 000007
【図７】
0004957399.tif 000008
【図８】
0004957399.tif 000009
【図９】
0004957399.tif 000010
【図１０】
0004957399.tif 000011
【図１１】
0004957399.tif 000012
【図１２】
0004957399.tif 000013